(57)【要約】      （修正有）【課題】裾部に付されたクラッシュ部の部分を生かした状態で裾上げ補整する被服の裾上げ方法を提供する。【解決手段】ジーンズ主体部１２とクラッシュ部２０が形成された折り返し線１８を有する裾部１６とを切り離す工程と、ジーンズ主体部１２に主体部側切断線２１ａから所定幅及び裾部１６の裾部側切断線２１ｂから所定幅を内側に折り返し、その折り返し部相互をミシン縫いしてジーンズ主体部１２とクラッシュ部２０が形成された折り返し線１８を有する裾部１６とを結合する結合工程と、クラッシュ部２０が形成された折り返し線１９を有する裾部１６の内側部１６ａをジーンズ主体部１２とクラッシュ部２０が形成された折り返し線１８を有する裾部１６との結合部２５に位置決めした状態で、ミシン縫いしてジーンズ主体部１２とクラッシュ部２０が形成された折り返し線１８を有する裾部１６とを仕上げ結合する仕上げ結合工程とからなる。【選択図】      図２
2007107164.tif 000002
【特許請求の範囲】
【請求項１】
被服の裾部が内側に折り返され、シングルに裾上げされた状態でミシン縫いされて折り返し線が形成され、しかも被服の少なくとも前記裾部の折り返し線にクラッシュ部が形成されたクラッシュ被服であって、試着者の寸法に応じて裾上げ位置を決定し、その裾上げ位置でシングルに裾上げしてミシン縫いを行う被服の裾上げ方法において、
前記裾上げ位置で前記裾部を切断し、被服主体部と前記クラッシュ部が形成された折り返し線を有する裾部とを切り離す工程と、
前記被服主体部に前記裾部を切断した主体部側切断線から所定幅及び裾部側切断線から所定幅を内側に折り返し、その折り返し部相互をミシン縫いして被服主体部とクラッシュ部が形成された折り返し線を有する裾部とを結合する結合工程と、
前記クラッシュ部が形成された折り返し線を有する裾部の内側部を前記被服主体部とクラッシュ部が形成された折り返し線を有する裾部との結合部に位置決めした状態で、ミシン縫いして被服主体部とクラッシュ部が形成された折り返し線を有する裾部とを仕上げ結合する仕上げ結合工程と、
からなることを特徴とする被服の裾上げ方法。
【請求項２】
前記切り離し工程の前もしくは後に、前記裾部を縫製していたミシン縫い糸を該裾部から取り除く縫い糸取り除き工程を設けたことを特徴とする請求項１記載の被服の裾上げ方法。
【請求項３】
前記結合工程は、前記主体部側切断線及び裾部側切断線の端縁にミシンを掛けて端縁処理することを含む請求項１記載の被服の裾上げ方法。
【請求項４】
前記被服は、ジーンズの裾部またはジャケットの袖部であることを特徴とする請求項１記載の被服の裾上げ方法。
【発明の詳細な説明】
【技術分野】
【０００１】
この発明は、ジーンズ等の被服の裾部の折り返し線に、ファッションのために意識的に付けた擦り傷（以下、クラッシュ部という）を有する既製服等であって、試着者の寸法に応じて裾上げ位置を決定し、その裾上げ位置でシングルに裾上げしてミシン縫いを行う被服の裾上げ方法に関する。
【背景技術】
【０００２】
被服販売店において展示販売されているジーンズ等の既製服は、試着者の身体に合わせて裾丈を詰めることができるように裾丈が長く製作されている。そして、既製服を購入する者は、店内で試着し、試着者の身体寸法に応じてズボンの裾丈を合せ、試着者の身体にフイットすることを確かめ、被服の裾丈を詰める補整して購入するのが通例である。
すなわち、被服販売店においては、ズボンの場合にはシングルの裾上げまたはダブルの裾上げのいずれかを購入者から聞き、裾上げ寸法を決めてから裾部を切断し、余分な裾部を排除してズボン主体部の裾上げ補整を行っている（例えば、特許文献１及び２参照。）。
【特許文献１】特開昭６２−５７９０３号公報
【特許文献２】特開２００１−２７１２１５号公報
【発明の開示】
【発明が解決しようとする課題】
【０００３】
ところで、ジーンズの場合、無傷の新品の場合は別として、膝部に穴を開けたり裾部がミシン縫いされた折り返し線にわざわざ擦り傷を付け、あたかも使い古したようなクラッシュ部を設けたクラッシュジーンズが特に若者に人気がある。従って、クラッシュジーンズ販売店においては、裾部にクラッシュ部を設けた多数種類のジーンズが陳列されているが、試着者の身体に合わせて裾丈を詰めることができるように裾丈が長く製作されている。
【０００４】
従って、ジーンズ購入者が店内で試着し、試着者の身体寸法に応じてズボンの裾丈を合せ、クラッシュジーンズ販売店が裾丈を詰める補整した場合、余分は裾部を切断して廃棄することになる。つまり、クラッシュジーンズの裾丈を詰める補整した場合、裾部にファッションのために付されたクラッシュ部が排除され、クラッシュ部がない部分が補整後の裾部となる。従って、せっかく裾部にクラッシュ部が付いたジーンズを選んで購入しても補整の段階で切断されてクラッシュ部の部分が排除されてしまうという不具合がある。
この発明は、前記事情に着目してなされたもので、その目的とするところは、試着者の身体寸法に応じてズボン等の裾丈を合せて被服の裾丈を詰める補整しても、裾部に付されたクラッシュ部の部分が排除されてしまうことがなく、クラッシュ部を生かした状態で裾上げ補整ができる被服の裾上げ方法を提供することにある。
【課題を解決するための手段】
【０００５】
この発明は、前述した目的を達成するために、請求項１は、被服の裾部が内側に折り返され、シングルに裾上げされた状態でミシン縫いされて折り返し線が形成され、しかも被服の少なくとも前記裾部の折り返し線にクラッシュ部が形成されたクラッシュ被服であって、試着者の寸法に応じて裾上げ位置を決定し、その裾上げ位置でシングルに裾上げしてミシン縫いを行う被服の裾上げ方法において、
前記裾上げ位置で前記裾部を切断し、被服主体部と前記クラッシュ部が形成された折り返し線を有する裾部とを切り離す工程と、前記被服主体部に前記裾部を切断した主体部側切断線から所定幅及び裾部側切断線から所定幅を内側に折り返し、その折り返し部相互をミシン縫いして被服主体部とクラッシュ部が形成された折り返し線を有する裾部とを結合する結合工程と、前記クラッシュ部が形成された折り返し線を有する裾部の内側部を前記被服主体部とクラッシュ部が形成された折り返し線を有する裾部との結合部に位置決めした状態で、ミシン縫いして被服主体部とクラッシュ部が形成された折り返し線を有する裾部とを仕上げ結合する仕上げ結合工程とからなることを特徴とする被服の裾上げ方法にある。
【０００６】
請求項２は、請求項１の前記切り離し工程の前もしくは後に、前記裾部を縫製していたミシン縫い糸を該裾部から取り除く縫い糸取り除き工程を設けたことを特徴とする。
【０００７】
請求項３は、請求項１の前記結合工程は、前記主体部側切断線及び裾部側切断線の端縁にミシンを掛けて端縁処理することを含むことを特徴とする。
【０００８】
請求項４は、請求項１の前記被服は、ジーンズの裾部またはジャケットの袖部であることを特徴とする。
【発明の効果】
【０００９】
この発明によれば、試着者の身体寸法に応じてジーンズ等の被服の裾丈を合せて裾丈を詰める補整しても、裾部に付されたクラッシュ部の部分が排除されてしまうことがなく、クラッシュ部を生かした状態で裾上げ補整ができ、しかも外観的には通常に裾上げ補整された被服と変わりないデザインに裾上げできるという効果がある。
【発明を実施するための最良の形態】
【００１０】
以下、この発明の実施の形態を図面に基づいて説明する。
【００１１】
図１〜図４は、被服としてのジーンズの裾上げ方法を示し、図１に示すクラッシュジーンズ１１のジーンズ主体部１２は、ベルト通し１３を備えたウエスト部１４とレッグ部１５とから構成されている。レッグ部１５の裾部１６は内側に折り返され、シングルに裾上げされた状態でミシン縫いされている。１７は裾部１６のミシン縫い部を示し、１８は折り返し線である。
【００１２】
ジーンズ主体部１２のレッグ部１５における膝部には意識的に部分的に摩耗（wear）させることにより摩耗部１９が形成され、さらに裾部１６の折り返し線１８にクラッシュ部２０が形成されている。すなわち、膝部に摩耗部１９を形成させたり、裾部１６の折り返し線１８にわざわざ擦り傷を付け、あたかも使い古したようなクラッシュ部２０を設けたクラッシュジーンズ１１は新品の既製服として被服販売店において展示販売されているもので、試着者の寸法に応じて裾上げ位置を決定し、その裾上げ位置で、例えばシングルに裾上げしてミシン縫い（補整）が行われ、販売されるものである。
次に、クラッシュジーンズ１１の裾部１６を試着者の寸法を測って裾上げ位置を決定し、その裾上げ位置で、裾部１６を切断してシングルに裾上げする方法を説明する。被服販売店において展示販売されているクラッシュジーンズ１１は身長が大小異なる多くの購入者に対応できるように裾丈が長く製作されている。
【００１３】
クラッシュジーンズ１１の購入者は、店内で試着し、試着者の身体寸法に応じてズボンの裾丈を合せ、試着者の身体にフイットすることを確かめ、被服の裾丈を詰める補整を行う。まず、試着者の寸法を測って裾上げ位置が決定したら裾上げ位置を見込んだ上で、切断位置にチャコを用いて印を付け、裾部１６の印位置を鋏等で切断する（２１ａ，２１ｂは切断線を示し、切断線２１ａと２１ｂとの間は廃棄され、裾部１６は使用するために残す。）。
【００１４】
そして、図２（ａ）に示すように、ジーンズ主体部１２とクラッシュ部２０が形成された折り返し線１８を有する裾部１６とを切り離す。切り離しの前もしくは後に裾部１６のミシン縫い部１７のミシン縫い糸２２を鋏等を用いて裾部１６から取り除き、裾部１６の内側部１６ａ、１６ｃをばらす。
【００１５】
ジーンズ主体部１２の主体部側切断線２１ａを内側に折り返し、所定幅（約５ｍｍ）の上部折り返し部２３を形成する。また、裾部１６の裾部側切断線２１ｂを内側に折り返し、所定幅（約５ｍｍ）の下部折り返し部２４を形成する。そして、図２（ｂ）に示すように、上部折り返し部２３と下部折り返し部２４相互をミシン縫いし、ジーンズ主体部１２とクラッシュ部２０が形成された折り返し線１８を有する裾部１６とを結合する（２５は結合部を示す。）。この場合、上部折り返し部２３と下部折り返し部２４の結合部２５を３〜４回縫い合わせる。次に、上部折り返し部２３と下部折り返し部２４の結合部２５を広げてハンマー等で叩き、結合部２５を柔らかくする。
次に、図３に示すように、クラッシュ部２０が形成された折り返し線１８を有する裾部１６の内側部１６ａを裾部１６の内側に折り返し、該裾部１６の折り目１６ｂをジーンズ主体部１２とクラッシュ部２０が形成された折り返し線１８を有する裾部１６とを結合した結合部２５に位置決めする。このとき、裾部１６の内側部１６ａと１６ｃを結合部２５と結合する際にジーンズ主体部１２と裾部１６とを結合した結合部２５の縫い目を外さないようにミシン縫いすることにより、結合部２５のミシン目と仕上げのミシン目が一致し、結合部２５の結合跡が隠れ、外観的には通常に裾上げ補整された被服と変わりないデザインに裾上げできる。
【００１６】
前記実施形態においては、ジーンズ主体部１２と裾部１６とを切断線２１ａ，２１ｂで切断した後、上部折り返し部２３と下部折り返し部２４とを結合する前に、上部折り返し部２３と下部折り返し部２４の端縁にロックミシンを掛けて端縁処理することにより、糸のほつれを防止できる。
前記実施形態においては、ジーンズの裾部における裾上げ方法について説明したが、ジーンズジャケットの袖部にも適用できるとともに、ジーンズに限定されず、あらゆる被服の裾上げ方法、例えばスカートの裾上げにも適用できる。
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００１７】
【図１】この発明の第１の実施形態を示し、（ａ）はジーンズの側面図、（ｂ）はＡ部を拡大した側面図、（ｃ）はＢ−Ｂ線に沿う断面図。
【図２】同実施形態を示し、（ａ）はジーンズ主体部と裾部とを切り離した状態の断面図、（ｂ）はジーンズ主体部と裾部とを結合した状態の断面図。
【図３】同実施形態を示し、ジーンズ主体部と裾部との結合部に裾部を仕上げ結合した状態の断面図。
【図４】同実施形態を示し、（ａ）はジーンズ主体部と裾部との結合部に裾部を仕上げ結合した状態の側面図、（ｂ）は同斜視図。
【符号の説明】
【００１８】
１１…ジーンズ、１２…ジーンズ主体部、１６…裾部、１６ａ，１６ｃ…内側部、１８…折り返し線、２０…クラッシュ部、２１ａ…主体部側切断線、２１ｂ…裾部側切断線、２５…結合部
【図１】
2007107164.tif 000003
【図２】
2007107164.tif 000004
【図３】
2007107164.tif 000005
【図４】
2007107164.tif 000006